(57)【特許請求の範囲】
【請求項１】
フェース部、ソール部、クラウン部及びホゼル部を有する中空のゴルフクラブヘッドにおいて、
ソール部のフェース側に第１凹部が設けられ、バック側に第２凹部が設けられており、
該第１凹部に、フェース・バック方向に延在する第１凹部のリブが設けられており、
該第２凹部に、フェース・バック方向に延在する第２凹部のリブが設けられており、
該第１凹部と該第２凹部との間は、連結部が設けられていることを特徴とするゴルフクラブヘッド。
【請求項２】
請求項１において、前記連結部は、フェース・バック方向において前記ゴルフクラブヘッドのバック側よりもフェース側に近い位置にあることを特徴とするゴルフクラブヘッド。
【請求項３】
請求項１又は２において、前記第１凹部のリブと前記第２凹部のリブとが一直線上に位置していることを特徴とするゴルフクラブヘッド。
【請求項４】
請求項１ないし３のいずれか１項において、前記連結部は、前記第１凹部及び前記第２凹部の周囲のソール面と面一状となっていることを特徴とするゴルフクラブヘッド。
【請求項５】
請求項１ないし４のいずれか１項において、前記第１凹部のリブ及び前記第２凹部のリブの、フェース側端部及びバック側端部は、ソール面からの立ち下り面に連なっていることを特徴とするゴルフクラブヘッド。
【請求項６】
請求項１ないし５のいずれか１項において、前記クラウン部の一部に、クラウン部の剛性低下部が設けられていることを特徴とするゴルフクラブヘッド。
【請求項７】
請求項６において、剛性低下部は、トウ・ヒール方向に延在する溝又は貫通孔を有することを特徴とするゴルフクラブヘッド。
【発明の詳細な説明】
【技術分野】
【０００１】
本発明は、中空ゴルフクラブヘッドに係り、詳しくはソール部に凹部を設けるとともに、この凹部にフェース・バック方向に延在するリブを設けた中空ゴルフクラブヘッドに関するものである。
【背景技術】
【０００２】
ドライバーやフェアウェーウッドなどのウッド型ゴルフクラブヘッドとして、中空の金属製のものが広く用いられている。一般に、中空のウッド型のゴルフクラブヘッドは、ボールを打撃するためのフェース部と、ゴルフクラブヘッドの上面部を構成するクラウン部と、ゴルフクラブヘッドの底面部を構成するソール部と、ゴルフクラブヘッドのトウ側、バック側及びヒール側の側面部を構成するサイド部と、ホゼル部とを有している。このホゼル部にシャフトが挿入され、接着剤等によって固定される。なお、最近では、ユーティリティクラブと称されるゴルフクラブも多く市販されており、このユーティリティゴルフクラブの１種として、上記ウッド型ゴルフクラブヘッドに類似した（即ち、フェース部、ソール部、サイド部及びクラウン部並びにホゼル部を有した）中空ヘッドを有するゴルフクラブも各種市販されている。
【０００３】
この中空ゴルフクラブヘッドを構成する金属としては、アルミニウム合金、ステンレスやチタン合金が用いられているが、近年は特にチタン合金が広く用いられている。
【０００４】
中空ゴルフクラブヘッドのソール部に凹部を設けると共に、この凹部にフェース・バック方向に延在するリブを設けることが特許文献１に記載されている。
【０００５】
特許文献３には、クラウン部、トウ側のサイド部、ソール部をのびてソール部のヒール側で終端するひだ状部をフェース面の周縁に沿って設けた中空ゴルフクラブヘッドが記載されている。
【０００６】
特許文献４には、中空部を含むゴルフクラブヘッドのクラウン部及びソール部に応力低減構造を設けることが記載されている。
【先行技術文献】
【特許文献】
【０００７】
【特許文献１】米国特許８，４０９，０３０
【特許文献２】米国意匠３７５，５３５
【特許文献３】特開２０１０−２７９８４７
【特許文献４】特開２０１３−１６５９６２
【発明の概要】
【発明が解決しようとする課題】
【０００８】
ソール部にフェース・バック方向に延在したリブを設けることにより、中空ゴルフクラブヘッドのソール部の剛性が高くなり、ゴルフボールを打撃した時に相対的にクラウン部が撓み易くなり、ゴルフボールの打ち出し角が高くなる。
【０００９】
本発明は、ソール部の剛性が高く、打撃したゴルフボールの打ち出し角を高くすることができるゴルフクラブヘッドを提供することを目的とする。
【課題を解決するための手段】
【００１０】
本発明のゴルフクラブヘッドは、フェース部、ソール部、クラウン部及びホゼル部を有する中空のゴルフクラブヘッドにおいて、ソール部のフェース側に第１凹部が設けられ、バック側に第２凹部が設けられており、該第１凹部に、フェース・バック方向に延在する第１凹部のリブが設けられており、該第２凹部に、フェース・バック方向に延在する第２凹部のリブが設けられており、該第１凹部と該第２凹部との間は、連結部が設けられていることを特徴とする。
【００１１】
本発明の一態様では、連結部は、フェース・バック方向においてゴルフクラブヘッドのバック側よりもフェース側に近い位置にある。
【００１２】
本発明の一態様では、第１凹部のリブと第２凹部のリブとが一直線上に位置している。
【００１３】
本発明の一態様では、連結部は、前記第１凹部及び前記第２凹部の周囲のソール面と面一状となっている。
【００１４】
本発明の一態様では、前記第１凹部のリブ及び前記第２凹部のリブの、フェース側端部及びバック側端部は、ソール面からの立ち下り面に連なっている。
【００１５】
本発明の一態様では、クラウン部の一部に、クラウン部の剛性低下部が設けられている。この剛性低下部は、トウ・ヒール方向に延在する溝又は貫通孔であることが好ましい。
【発明の効果】
【００１６】
本発明のゴルフクラブヘッドにあっては、ソール部に第１凹部及び第２凹部を設け、各凹部内にそれぞれフェース・バック方向に延在するリブを設けており、ソール部の剛性を高めている。また、第１凹部と第２凹部との間に連結部を設けているので、リブの剛性も高いものとなっている。そのため、本発明のゴルフクラブヘッドは、ゴルフボールを打撃した時にクラウン部が相対的に撓み易く、ゴルフボールの打ち出し角が高くなる。
【００１７】
クラウン部に剛性低下部を設けることにより、ゴルフボールを打撃した時にクラウン部がさらに撓み易くなる。
【図面の簡単な説明】
【００１８】
【図１】実施の形態に係るゴルフクラブヘッドの平面図である。
【図２】図１のゴルフクラブヘッドの底面図である。
【図３】図２のIII−III線に沿うソール部の断面図である。
【図４】図１のゴルフクラブヘッドのトウ側の側面図である。
【図５】図１のゴルフクラブヘッドのヒール側の側面図である。
【図６】図１のゴルフクラブヘッドの後面図である。
【図７】図１のVII−VII線断面図である。
【図８】別の実施の形態に係るゴルフクラブヘッドの平面図である。
【図９】図８のゴルフクラブヘッドのクラウン部のフェース・バック方向の縦断面図である。
【図１０】図８のゴルフクラブヘッドの非金属カバーの断面図である。
【図１１】図８のゴルフクラブヘッドのクラウン部の貫通孔付近の分解斜視図である。
【発明を実施するための形態】
【００１９】
以下、図面を参照して実施の形態に係るゴルフクラブヘッドについて説明する。
【００２０】
図１〜７に示したゴルフクラブヘッド１は、フェース部２、ソール部３、クラウン部５及びホゼル部６を有した中空のドライバーヘッドである。ゴルフクラブヘッド本体１ａは金属にて一体に構成されている。この金属としては、チタン、チタン合金、アルミ合金、ステンレス等が例示されるが、チタン合金が好適である。なお、ゴルフクラブヘッド１の一部が繊維強化樹脂などの非金属材料で構成されてもよい。また、ゴルフクラブヘッド１の一部、例えばソール部やサイド部に、合成樹脂、ゴム、エラストマー等よりなる装飾材や銘板が設けられてもよい。
【００２１】
フェース部２はボールを打撃する面である。ソール部３はゴルフクラブヘッドの底面部を構成し、クラウン部５はゴルフクラブヘッドの上面部を構成している。ホゼル部６には、シャフトが固着される。
【００２２】
この実施の形態では、ソール部３のうちトウ・ヒール方向のややヒール側からトウ側において、フェース部２側に中空部側５２に凹んだ第１凹部１１が設けられると共に、バック側に第２凹部１２が設けられている。第１凹部１１とフェース部２との間はソールフロント１３となっており、第１凹部１１と第２凹部１２との間は連結部であるソールミッド１４となっており、第２凹部のバック側はソールフリンジ１５となっている。
【００２３】
第１凹部１１及び第２凹部１２のヒール側の縁部１１ａ及び１２ａは、フェース・バック方向に延在している。
【００２４】
ソールミッド１４はトウ・ヒール方向に延在し、第１凹部１１のバック側端部と第２凹部１２のフェース側端部を連結する連結部を構成している。このソールミッド１４は、第１凹部１１及び第２凹部１２の周囲のソール面Ｆｓと面一状となっている。
【００２５】
ソール部３のヒール側３ｈにあっては、フェース部２側に第１凹陥部１６が設けられ、バック側３ｒに第２凹陥部１７が設けられている。第１凹陥部１６には、ボルト１８が配置されている。このボルト１８は、ホゼル部６に差し込まれたシャフト用アタッチメント（図示略）を着脱可能に固定するためのものである。なお、シャフトはホゼル部６に接着剤によって直接に固定されてもよい。第２凹陥部１７には、タングステン等の高比重材よりなるウェイト１９が装着されている。
【００２６】
第１凹部１１及び第２凹部１２内に、フェース・バック方向（前後方向）と平行方向に延在する複数本（この実施の形態では４本）の第１凹部のリブ２１〜２４、第２凹部のリブ２５〜２８が設けられている。リブ２１，２５は略一直線上に位置し、リブ２２，２６は略一直線上に位置し、リブ２３，２７は略一直線上に位置し、リブ２４，２８は略一直線上に位置している。
【００２７】
リブ２１〜２４のフェース側端部は第１凹部１１のフェース側の立ち下り面１１ｆに連なり、リブ２１〜２４のバック側端部は該凹部１１のバック側の立ち下り面１１ｒに連なっている。リブ２５〜２８のフェース側端部は、第２凹部１２のフェース側の立ち下り面１２ｆに連なり、リブ２５〜２８のバック側端部は該凹部１２のバック側の立ち下り面１２ｒに連なっている。
【００２８】
このゴルフクラブヘッド１の平面視（ゴルフクラブヘッド１を規定のライ角及びリアルロフト角で、水平面上にソール部３を設置し、その状態で、水平面に対して垂直上方から視た場合）におけるフェース・バック方向の最大長Ｘ０は、特に制限はないが、９０ｍｍ以上、１４０ｍｍ以下である。
【００２９】
フェース・バック方向の長さが最大となる部分におけるゴルフクラブヘッド１のフェース・バック方向の縦断面図（図３）において、ソールフロント１３の幅Ｘ１は、好ましくは５ｍｍ以上、２５ｍｍ以下である。第１凹部１１の幅Ｘ２は、好ましくは５ｍｍ以上、３０ｍｍ以下である。ソールミッド１４の幅Ｘ３は、好ましくは１０ｍｍ以上、４０ｍｍ以下である。第２凹部１２の幅Ｘ４は、好ましくは２０ｍｍ以上、１２０ｍｍ以下である。
【００３０】
ゴルフクラブヘッド１の前記平面視及び底面視（ゴルフクラブヘッド１を規定のライ角及びリアルロフト角で、水平面上にソール部３を設置し、その状態で、水平面に対して垂直下方から視た場合）において、ゴルフクラブヘッド１のフェース・バック方向と直交するトウ・ヒール方向の最大長さＹ０は、特に制限はないが、１００ｍｍ以上、１５０ｍｍ以下である。最もトウ側である最トウ部３ｔから、第１凹部１１の縁部１１ａまでのトウ・ヒール方向の距離Ｙ１１は、好ましくは５０ｍｍ以上、１４０ｍｍ以下であり、第２凹部１２の縁部１２ａまでのトウ・ヒール方向の距離Ｙ１２は、好ましくは５０ｍｍ以上、１４０ｍｍ以下である。各凹部１１，１２におけるリブの数は、特に制限はないが、２以上、１０以下である。各リブの厚さｔＲＩＢは、好ましくは０．５ｍｍ以上、２０ｍｍ以下である。
【００３１】
リブ２１〜２４の高さが最大となる位置でのリブ高さＺ１は、好ましくは１ｍｍ以上、１０ｍｍ以下であり、リブ２５〜２８の高さが最大となる位置でのリブ高さＺ２は好ましくは１ｍｍ以上、１０ｍｍ以下である。
【００３２】
このゴルフクラブヘッド１がチタン合金にて構成されている場合、ソール部３の肉厚ｔｓｏｌｅは、特に制限はないが、０．５ｍｍ以上、２．５ｍｍ以下である。なお、ソールミッド１４の肉厚ｔｓをソール部３の他の部分の肉厚よりも大きくして、さらにソール部の剛性を高めてもよい。
【００３３】
このようにソール部３にリブ２１〜２８を設けたことにより、ソール部３の剛性が高くなる。また、フェース・バック方向においてソール部３のバック側よりもフェース側に近く位置するようにソールミッド１４を設けることで、リブ２１〜２４の剛性をより高め、ソール部３のフェース側の剛性を高くすることができる。
【００３４】
このゴルフクラブヘッド１にあっては、さらにクラウン部５を撓みやすくするために、クラウン部５に剛性低下部として外面溝３１〜３３、外面浅溝３４、内面溝３６〜３９を設けてもよい。外面溝３１、３２、３３はゴルフクラブヘッド１のクラウン部５のフェース側に、トウ・ヒール方向に延在するように複数本（この実施の形態では３本）設けられている。この実施の形態では、フェース側の外面溝３１、中間の外面溝３２、バック側の外面溝３３の順にトウ・ヒール方向の長さが小さくなっている。外面溝３１〜３３の前記平面視におけるトウ・ヒール方向の中心は、フェース面のトウ・ヒール方向の最大長さの中心を通り、且つトウ・ヒール方向に垂直なフェース・バック方向の直線Ｌｆｂ上又はその近傍に位置する。外面溝３１〜３３を取り巻くように外面浅溝３４が設けられている。
【００３５】
クラウン部５の内面５ｉには、外面溝３１〜３３と平行に内面溝３６〜３９が設けられている。内面溝３６は外面溝３１のフェース側に位置し、内面溝３７は外面溝３１，３２間に位置し、内面溝３８は外面溝３２，３３間に位置し、内面溝３９は外面溝３３のバック側に位置している。
【００３６】
外面溝３１，３２，３３のトウ・ヒール方向の長さＬ３１，Ｌ３２，Ｌ３３は、好ましくは１５ｍｍ以上、１０５ｍｍ以下である。
【００３７】
クラウン部５の前縁Ｐから外面溝３１の前縁までの距離Ｃ１は、好ましくは２．５ｍｍ以上、３３ｍｍ以下である。なお、クラウン部５の前縁Ｐとは、図７に示すソール状態（ゴルフクラブヘッド１を規定のライ角及びリアルロフト角で、水平面上にソール部３を設置した状態）のゴルフクラブヘッド１の直線Ｌｆｂにおける縦断面図において、クラウン部５とフェース部２との交わり部における接線が水平面に対し４５゜となる位置を表わす。外面溝３１，３２，３３の幅Ｃ２は、好ましくは１ｍｍ以上、１０ｍｍ以下である。外面溝３１，３２間の距離及び外面溝３２，３３間の距離Ｃ３は、好ましくは０．５ｍｍ以上、１０ｍｍ以下である。外面浅溝３４の幅Ｃ４は、好ましくは０．５ｍｍ以上、１０ｍｍ以下である。
【００３８】
外面溝３１，３２，３３の深さは、好ましくは０．１ｍｍ以上、９ｍｍ以下である。外面浅溝３４の深さは、好ましくは０．１ｍｍ以上、９ｍｍ以下である。
【００３９】
内面溝３６のトウ・ヒール方向の長さは外面溝３１と同等程度が好ましい。内面溝３７の長さは外面溝３１，３２のいずれかと同等程度又はそれらの間の長さが好ましい。内面溝３８の長さは外面溝３２，３３のいずれかと同等程度又はそれらの間の長さが好ましい。内面溝３９の長さは外面溝３３と同等程度が好ましい。内面溝３６，３７，３８，３９の深さは、好ましくは０．１ｍｍ以上、９ｍｍ以下である。
【００４０】
このように構成されたゴルフクラブヘッド１にあっては、ソール部３にリブ２１〜２８及びソールミッド１４を設けてソール部３の剛性を高くしている。さらに、クラウン部５に外面溝３１〜３３、外面浅溝３４、及び内面溝３６〜３９が設けられており、ゴルフボールを打撃した時にクラウン部５が撓み易い。そのため、このゴルフクラブヘッド１でゴルフボールを打撃した場合、ゴルフボールの打ち出し角が高くなり、飛距離が増大する。
【００４１】
なお、上記実施の形態では、リブ２１〜２４はフェース・バック方向に延在しているが、少なくとも一部のリブはフェース・バック方向と斜交方向に延在してもよい。
【００４２】
クラウン部５に設ける剛性低下部の他の実施形態として、トウ・ヒール方向に延在する貫通孔を設け、この貫通孔に非金属カバーを設けてもよい。この実施形態に係るゴルフクラブヘッド１’について図８〜１１を参照して説明する。
【００４３】
このゴルフクラブヘッド１’のクラウン部５の前縁Ｐの近傍には、トウ・ヒール方向に延在する貫通孔７が設けられている。この貫通孔７は非金属カバー８によって閉鎖されている。前記平面視における貫通孔７のトウ・ヒール方向の中心は、フェース面のトウ・ヒール方向の最大長さの中心を通り、且つトウ・ヒール方向に垂直なフェース・バック方向の直線Ｌｆｂ上又はその近傍に位置する。
【００４４】
この実施の形態では、クラウン部５には、貫通孔７を取り囲むように、クラウン部外表面５１よりも中空部側５２に凹んだ段部９が設けられており、非金属カバー８はこの段部９に取り付けられている。符号９５は、段部９がその周囲のクラウン部外表面５１から立ち下がる立下面よりなる段部側面を示している。段部側面９５とクラウン部外表面５１の境界部分が段部外縁９１，９２（９２ａ，９２ｂ），９３，９４（９４ａ，９４ｂ）である。この段部９の底面９６に非金属カバー８が載る。
【００４５】
貫通孔７は、前記平面視における形状が略台形であり、フェース側の辺縁７１とバック側の辺縁７３とが略平行であり、それぞれトウ・ヒール方向に延在している。貫通孔７のヒール側の辺縁７２（７２ａ，７２ｂ）とトウ側の辺縁７４（７４ａ，７４ｂ）のうち、フェース側の辺縁７２ａ，７４ａ同士は、フェース側ほど互いに接近するように、トウ・ヒール方向に対して斜交方向に延在している。バック側の辺縁７２ｂ，７４ｂ同士は、バック側ほど互いに接近するように、トウ・ヒール方向に対して斜交方向に延在している。
【００４６】
段部９も、前記平面視における形状が略台形であり、フェース側の段部外縁９１とバック側の段部外縁９３とが略平行であり、それぞれトウ・ヒール方向に延在している。段部９のヒール側の段部外縁９２（９２ａ、９２ｂ）とトウ側の段部外縁９４（９４ａ、９４ｂ）のうち、フェース側の外縁９２ａ，９４ａ同士は、フェース側ほど互いに接近するように、トウ・ヒール方向に対して斜交方向に延在している。バック側の段部外縁９２ｂ，９４ｂ同士は、バック側ほど互いに接近するように、トウ・ヒール方向に対して斜交方向に延在している。
【００４７】
非金属カバー８は、段部９に嵌合するように段部外縁９１〜９４と同一平面視形状を有している。この非金属カバー８には、下面８７から突出し、貫通孔７に嵌合するように貫通孔７と同一形状を有した凸部８Ａが設けられている。
【００４８】
非金属カバー８の上面８６には、トウ・ヒール方向に延在した複数本（この実施の形態では３本）の溝形の非金属カバーの凹部８ａ，８ｂ，８ｃが設けられている。
【００４９】
非金属カバー８は、凸部８Ａが貫通孔７に差し込まれ、該凸部８Ａ周囲の下面８７が接着剤（粘着剤を包含する。）、両面接着テープ、平面ファスナ、ねじ留め等の付着手段によって段部９の底面９６に付着されている。なお、付着手段が両面接着テープ、平面ファスナ又はねじ留めである場合、非金属カバーを比較的容易に着脱することができる。
【００５０】
凹部８ａ，８ｂ，８ｃを除いて、非金属カバー８の上面は、周囲のクラウン部外表面５１と面一であるが、突出したり、凹んでいてもよい。
【００５１】
非金属カバー８の材料としては、ゴム又は樹脂等からなる材料が挙げられる。ゴムとしては、例えば天然ゴム、ポリブタジエンゴム、スチレンブタジエンゴム、イソプレンゴム等が挙げられる。樹脂としては、例えばアイオノマー樹脂、ウレタン樹脂、ポリエステル樹脂、ポリアミド樹脂等が挙げられる。特に、ウレタン樹脂が好適である。非金属カバーの材料のショアＤ硬度は５５以上、特に６５以上で、８０以下、特に７５以下であることが好適である。ショアＤ硬度をこの範囲とすることにより、ゴルフボールを打撃した時に撓んだゴルフクラブヘッドを、より早く元の形状へ戻す事ができる。
【００５２】
次に、このゴルフクラブヘッド１’の貫通孔７、非金属カバー８及び段部９の寸法の好適範囲について説明する。
【００５３】
貫通孔７の最もフェース側の辺縁７１からクラウン部５の前記前縁Ｐまでの距離Ｄは５ｍｍ以上、特に１０ｍｍ以上であり、また３５ｍｍ以下、特に３０ｍｍ以下であることが好ましい。距離Ｄをこの範囲とすることにより、クラウン部を撓み易くすることができる。
【００５４】
貫通孔７のトウ・ヒール方向の長さＬ１は２０ｍｍ以上、１００ｍｍ以下であることが好ましい。貫通孔７のフェース・バック方向（前後方向）の幅Ｗ１は２ｍｍ以上、３０ｍｍ以下であることが好ましい。
【００５５】
段部９のトウ・ヒール方向の長さＬ２は２５ｍｍ以上、１１０ｍｍ以下であることが好ましい。段部９のフェース・バック方向の幅Ｗ２は４ｍｍ以上、４０ｍｍ以下であることが好ましい。
【００５６】
非金属カバー８に設ける凹部８ａ，８ｂ，８ｃの幅Ｗ３は１ｍｍ以上、１０ｍｍ以下であることが好ましい。
【００５７】
凹部８ａ〜８ｃのトウ・ヒール方向の長さＬａ，Ｌｂ，Ｌｃは１５ｍｍ以上、１０５ｍｍ以下であることが好ましい。
【００５８】
非金属カバー８の凸部８Ａ部分における厚さＴ１は０．５ｍｍ以上、１０ｍｍ以下であることが好ましい。非金属カバー８の上面８６から下面８７までの厚さＴ２は０．２５ｍｍ以上、９．５ｍｍ以下であることが好ましい。
【００５９】
凹部８ａ，８ｂ，８ｃの深さＴ３は、０．１ｍｍ以上、９ｍｍ以下であることが好ましい。
【００６０】
凹部８ａ〜８ｃのフェース・バック方向における断面形状は、この実施の形態では、円弧形となっているが、Ｕ形、Ｖ形、四角形又は五角形以上の角形などであってもよい。
【００６１】
非金属カバーの凹部の数は、特に制限はないが、１以上、１０以下である。
【００６２】
このように構成されたゴルフクラブヘッド１’にあっては、クラウン部５に貫通孔７が設けられており、ゴルフボールを打撃した時にクラウン部５が撓み易い。この貫通孔７に凹部８ａ〜８ｃを有する非金属カバー８を設けることで、ゴルフボールを打撃した時に撓んだゴルフクラブヘッドを元の形状へ戻す力を与えつつも、ヘッドの振動を吸収し、打感を向上させ、打撃した時のヘッドの撓み量の調整をすることができる。
【００６３】
そのため、このゴルフクラブヘッド１’を備えたゴルフクラブを、使用した場合ボールの初速が大きくなると共に、打ち出し角も高くなり、飛距離が増大する。
【００６４】
この実施の形態では、貫通孔７は、前記平面視における形状が略台形であるが、トウ・ヒール方向に長い長方形や楕円形、三角形などであってもよい。
【００６５】
この実施の形態では、各凹部８ａ〜８ｃはそれぞれトウ・ヒール方向に連続して延在する凹溝として設けられているが、途中の少なくとも１箇所で途切れていてもよい。また、前記平面視における形状が円形、楕円形、三角形、四角形、多角形等の凹穴をトウ・ヒール方向に複数個列状に配列してもよい。
【００６６】
非金属カバー８の凸部８Ａの下面にも凹部を設けてもよい。
【００６７】
この実施の形態では、貫通孔７及び非金属カバー８はクラウン部５の前縁Ｐ側にのみ設けられているが、サイド部４にも貫通孔を設け、非金属カバーで閉鎖するようにしてもよい。
【００６８】
上記説明は本発明の一例を表わすものであり、本発明は上記以外の構成とされてもよい。本発明は、ドライバー以外のフェアウェーウッドやユーティリティクラブのヘッドにも適用可能である。
【符号の説明】
【００６９】
１，１’  ゴルフクラブヘッド
２  フェース部
３  ソール部
４  サイド部
５  クラウン部
６  ホゼル部
７  貫通孔
８  非金属カバー
８Ａ  凸部
８ａ〜８ｃ  非金属カバーの凹部
９  段部
１１  第１の凹部
１２  第２の凹部
１４  ソールミッド（連結部）
１５  ソールフリンジ
２１〜２８  リブ
【図１】
0006405965.tif 000002
【図２】
0006405965.tif 000003
【図３】
0006405965.tif 000004
【図４】
0006405965.tif 000005
【図５】
0006405965.tif 000006
【図６】
0006405965.tif 000007
【図７】
0006405965.tif 000008
【図８】
0006405965.tif 000009
【図９】
0006405965.tif 000010
【図１０】
0006405965.tif 000011
【図１１】
0006405965.tif 000012